(57)【要約】【課題】  単一のＬＥＤで数値データを表示する。【解決手段】  温度センサ２３や湿度センサ２４の測定値データに基づいて換気扇のファンモータ２１の運転を制御する電子機器１は、運転／停止スイッチ１２を短時間操作することにより自動運転状態と停止状態を切り替えることができる。運転／停止スイッチ１２を長時間押すことにより、データ表示モードに移行し、運転状態を表示する単一のＬＥＤ１４を用いて温度データや湿度データなどのデータを各数字に対応した表示パターンで各桁ごとに順次時分割で表示する。【選択図】  図３
2005284552.tif 000002
【特許請求の範囲】
【請求項１】
センサの計測値に基づいて負荷の運転を制御する制御部と、
前記負荷の運転の開始／終了を指示する運転／停止スイッチと、
単一の表示器とを備え、
前記制御部は、運転状態表示モードにあるときは前記単一の表示器で前記負荷の運転状態を表示させ、データ表示モードにあるときは選択されたデータを前記単一の表示器を用いて各桁ごとに時分割で表示させるようになされていることを特徴とする電子機器。
【請求項２】
前記運転／停止スイッチの第１の操作により、前記運転状態表示モードと前記データ表示モードを切り替えることができるようになされており、前記データ表示モードにあるときに、前記運転／停止スイッチの第２の操作により、表示するデータを選択することができるようになされていることを特徴とする請求項１記載の電子機器。
【請求項３】
前記表示器は、前記運転状態表示モードから前記データ表示モードに切り替わったことを表示する第１の表示形態と、前記データ表示モードにおいて前記選択されたデータの種別を表示する第２の表示形態と、前記運転／停止スイッチの前記第１又は第２の操作が行われるまで、前記選択されたデータを繰り返し表示する第３の表示形態を有するようになされていることを特徴とする請求項２記載の電子機器。
【請求項４】
前記データ表示モードは、所定時間後に解除されるようになされていることを特徴とする請求項１〜３のいずれかに記載の電子機器。
【請求項５】
前記単一の表示器を、所定時間内に短時間点灯、長時間点灯又はそれらの組み合わせで時系列に所定回数点灯することにより、０〜９の数字及び小数点を表示するようになされていることを特徴とする請求項１〜４のいずれかに記載の電子機器。
【請求項６】
短時間点灯に０、長時間点灯に１又は２を対応させて、所定時間間隔で短時間点灯、長時間点灯又はそれらの組み合わせで５回点灯させることにより、１桁の数字を表示するようになされていることを特徴とする請求項５に記載の電子機器。
【請求項７】
短時間点灯に０、長時間点灯に８、４、２又は１を対応させて、所定時間間隔で短時間点灯、長時間点灯又はそれらの組み合わせで４回点灯させることにより、１桁の数字を表示するようになされていることを特徴とする請求項５に記載の電子機器。
【請求項８】
前記短時間点灯をデューティ５０％で所定時間点滅表示させることにより、小数点を表示するようになされていることを特徴とする請求項６又は７に記載の電子機器。
【発明の詳細な説明】
【技術分野】
【０００１】
本発明は、単一のＬＥＤなどを用いて数値データを表示することができる電子機器に関する。
【背景技術】
【０００２】
従来、負荷を制御する電子機器等を安価なものとするために、状態表示や警報表示等を行う単一のＬＥＤやランプなどの表示器は備えているが、電子機器内部の各種データを表示することができる表示部は備えていないものがある。このような電子機器においては、電子機器内部の各種データを参照することができないため、電子機器の取付現場において調整や故障解析ができないという不都合があった。
【０００３】
また、複数のＬＥＤを備えて１６進データを表示することができるようにした電子機器も知られている（特許文献１）。この特許文献１に記載されているものは、調整項目表示用のＬＥＤ２個、データ表示用のＬＥＤ８個を使用して１６進数データを表示するものであるが、データ表示に複数のＬＥＤを備えなければならず、電子機器が大型化、コスト高となるなどの問題があった。
【０００４】
さらに、単一の表示器を点灯、消灯させることによって数字の表示を行うことも提案されている（特許文献２）。
しかしながら、この提案されている方法では、整数のみを表示することができるだけで、計測データや設定データ等の実数の表示をすることができないという不都合があり、さらに、桁数の多いデータ（例えば、積算時間）を表示しようとすると表示方法が複雑（桁が増えると表示パターンが増加する）となり、データの読み間違いが発生するという不都合があった。
【特許文献１】特開平１０−２５４３９７号公報
【特許文献２】特開２０００−１６３０００号公報
【発明の開示】
【発明が解決しようとする課題】
【０００５】
そこで、本発明は、コスト高になることなく、計測データや設定データ等の実数のデータを表示することができる電子機器を提供することを目的としている。
【課題を解決するための手段】
【０００６】
上記目的を達成するために、本発明の電子機器は、センサの計測値に基づいて負荷の運転を制御する制御部と、前記負荷の運転の開始／終了を指示する運転／停止スイッチと、単一の表示器とを備え、前記制御部は、運転状態表示モードにあるときは前記単一の表示器で前記負荷の運転状態を表示させ、データ表示モードにあるときは選択されたデータを前記単一の表示器を用いて各桁ごとに時分割で表示させるようになされているものである。
また、前記運転／停止スイッチの第１の操作により、前記運転状態表示モードと前記データ表示モードを切り替えることができるようになされており、前記データ表示モードにあるときに、前記運転／停止スイッチの第２の操作により、表示するデータを選択することができるようになされているものである。
さらに、前記表示器は、前記運転状態表示モードから前記データ表示モードに切り替わったことを表示する第１の表示形態と、前記データ表示モードにおいて前記選択されたデータの種別を表示する第２の表示形態と、前記運転／停止スイッチの前記第１又は第２の操作が行われるまで、前記選択されたデータを繰り返し表示する第３の表示形態を有するようになされているものである。
さらにまた、前記データ表示モードは、所定時間後に解除されるようになされているものである。
【０００７】
さらにまた、前記単一の表示器を、所定時間内に短時間点灯、長時間点灯又はそれらの組み合わせで時系列に所定回数点灯することにより、０〜９の数字及び小数点を表示するようになされているものである。
さらにまた、短時間点灯に０、長時間点灯に１又は２を対応させて、所定時間間隔で短時間点灯、長時間点灯又はそれらの組み合わせで５回点灯させることにより、あるいは、短時間点灯に０、長時間点灯に８、４、２又は１を対応させて、所定時間間隔で短時間点灯、長時間点灯又はそれらの組み合わせで４回点灯させることにより、１桁の数字を表示するようになされているものである。
さらにまた、前記短時間点灯をデューティ５０％で所定時間点滅表示させることにより、小数点を表示するようになされているものである。
【発明の効果】
【０００８】
本発明によれば、制御負荷の運転状態を表示する運転表示ＬＥＤ（１点）からなる運転表示器と、負荷を運転／停止する操作スイッチ（１点）のみを備えた電子機器において、操作スイッチの操作により電子機器のもつデータを選択して、運転表示器（１個のＬＥＤ）に時系列に表示することができるため、電子機器をシンプルで安価な構成とすることができる。
また、所定時間内に所定の回数、短時間点灯、長時間点灯またはそれらの組み合わせにより一桁の数字（０〜９）を表示するようにしたため、表示桁数が多くなっても、前記１桁の数字の表示と次の桁の表示との間に適度に無点灯の時間をおくことで、多数桁の表示を読み間違えることなく読み取ることができる。
さらに、前記１桁の表示時間と同じ時間で前記数字表示と異なる表示（点滅）を前記数字表示の間に挿入して表示することで、実数の表示、符号付き表示などが可能となり、電子機器における計測データや設定データなどを全て表示することができる。
【発明を実施するための最良の形態】
【０００９】
図１は、本発明の電子機器の一実施の形態の構成を示すブロック図である。ここでは、本発明を、浴室の換気や照明を制御する電子機器１に適用した実施の形態を例にとって説明する。
図１において、１は本発明の電子機器であり、制御部（マイコン）１１、電子機器１を自動運転又は停止する運転／停止スイッチ１２、浴室照明２２を点灯／消灯させるスイッチ１３、単一のＬＥＤからなる表示器（ＬＥＤ）１４、交流電源２０に接続され、マイコン１１に直流電源を供給する直流電源部（パワーユニット）１５、マイコン１１により制御される第１及び第２のリレー１６及び１７を有している。また、電子機器１の端子３１と３２の間には浴室照明２２が、端子３１と３３の間には浴室の換気を行う換気扇のファンモータ２１が、端子３１と３４の間には交流電源２０がそれぞれ接続されており、さらに、端子３５には浴室の温度を検出する温度センサ２３、端子３６には浴室の湿度を検出する湿度センサ２４が接続される。
前記マイコン１１には、直流電源部１５を介して常時直流電源が供給されており、この電子機器は通常状態では常時自動運転状態とされている。前記運転／停止スイッチ１２はメンテナンス用のスイッチであり、調整や故障解析等を行うときにサービスを行う者により操作されるものである。
【００１０】
このように構成された電子機器１において、自動運転中であるときには前記ＬＥＤ１４は点灯状態とされる。
前記マイコン１１は、前記温度センサ２３及び前記湿度センサ２４の計測値や前記スイッチ１２の状態に基づいて前記換気扇のファンモータ２１を制御する。例えば、前記湿度センサ２４により検出される湿度が所定の値（例えば、75％）を超えると第２のリレー１７をオンすることでファンモータ２１を運転させる。また、所定時間（例えば、5分間）ファンモータ２１を運転しても湿度が下がらなかったり、逆に湿度が上昇したりした場合は室外の湿度が浴室よりも高湿度であると判断してファンモータ２１を間欠運転させるように制御する。
さらにまた、点灯／消灯スイッチ１３の操作により浴室照明２２が点灯されているときは、前記温度センサ２３により浴室の温度を計測し、浴室温度が所定の温度以下の場合は浴室の温度が所定値に達するまで湿度が所定の値以上であってもファンを停止させるように制御する。
【００１１】
このような機能を備えた電子機器１において、電子機器１を設置したときに、温度センサ２３や湿度センサ２４が正しく設置され配線されているかを、前記温度センサ２３及び湿度センサ２４の計測値がマイコン１１で読み取れているか等で確認する必要がある。
また、この種の電子機器１においては、浴室の除湿、入浴時の浴室の温度の制御が換気扇のファンモータ２１を運転することによる室温低下による不快感を配慮されたものであれば良く、前記温度センサ２３や湿度センサ２４の測定値自体を常時監視するための表示器を必要とするものでない。そこで、本発明においては、安価かつ小型にすることが求められ、表示器は自動運転／停止状態を表示するＬＥＤ１４が一つしか設けられていない電子機器において、前記計測データ等を該ＬＥＤ１４において表示することを可能とし、メンテナンス性を向上させるようにしている。
【００１２】
このように構成された電子機器１において、前記運転／停止スイッチ１２が操作されたときの動作について、図２のフローチャート及び図３のタイミング図を参照して説明する。
図２は、本発明の電子機器１において前記運転／停止スイッチ１２が操作されたときに前記制御部（マイコン）１１により実行される処理の流れを示すフローチャートである。また、図３の（ａ）はデータ種別１のデータ（この実施の形態においては湿度データ）を表示するときのタイミング図、（ｂ）はデータ種別２のデータ（温度データ）を表示するときのタイミング図である。
【００１３】
前記交流電源２０に接続されると、電子機器１は動作を開始して、換気扇のファンモータ２１の運転を開始するとともに、前記ＬＥＤ１４を点灯状態（自動運転状態表示）として、自動運転中であることを表示する（ステップＳ１）。この自動運転状態において、前述のように前記点灯／消灯スイッチ１３の操作、前記温度センサ２３及び湿度センサ２４からの計測値に基づいて、前記換気扇のファンモータ２１などの制御を行う。
この自動運転状態のときに前記運転／停止スイッチ１２が操作されると、その押されていた時間が第１の所定の時間（例えば、１秒間）よりも短い（短時間押し）か否かを判定する（ステップＳ２）。運転／停止スイッチ１２が押されていた時間が第１の所定の時間（例えば、１秒間）よりも短い時間であるときは、運転／停止切替操作であると判断し、ステップＳ１２に進み、前記換気扇のファンモータ２１の運転を停止して停止状態に移行するとともに、前記ＬＥＤ１４を消灯する（停止状態表示）。この停止状態のときに前記運転／停止スイッチ１２が操作されると、その操作が前述した短時間押しであるか否かを判定し（ステップＳ１３）、短時間押しであるときは、前記ステップＳ１の自動運転状態に移行する。
【００１４】
前記自動運転状態（Ｓ１）又は停止状態（Ｓ１２）において前記運転／停止スイッチ１２が操作され、それが前記短時間押しでないときは（ステップＳ２又はステップＳ１３がＮＯ）、前記第１の所定の時間よりも長い第２の所定時間（例えば、３秒間）以上押されたか否かを判定し（ステップＳ３又はＳ１４）、第２の所定時間よりも長く押されたときは第１の操作であると判定し、電子機器１内のデータを読み出して表示するデータ表示モードに移行する。一方、前記第１の操作でないときは、前記ステップＳ１又は前記ステップＳ１２に戻し、運転／停止スイッチ１２が操作されるのを待つ。
なお、図２に示すように、自動運転中に前記第１の操作がされたときのステップＳ４〜Ｓ１１の処理と、運転停止中に前記第１の操作がされたときのステップＳ１５〜Ｓ２２の処理は同一であるため、煩雑さを避けるために、以下では、ステップＳ４〜Ｓ１１を主として説明する。
【００１５】
前記ステップＳ３（Ｓ１４）で、第１の操作であると判定されたときは、ステップＳ４（Ｓ１５）に進み、前記ＬＥＤ１４を用いて、データ表示モードに移行したことと表示するデータのデータ種別を選択するために前記運転／停止スイッチ１２の操作待ちであることを示す表示を行う（第１の表示形態）。この第１の表示形態は、図３の（ａ）に示すように、所定時間間隔の点滅（例えば、0.1秒オン、0.1秒オフ）を行うものであり、この表示をみて、操作者はデータ種別（温度データ、湿度データなど）を選択する運転／停止スイッチ１２の操作待ち状態であることを確認することができる。
続いて、操作者が所定時間内に前記運転／停止スイッチ１２を前記第１の操作の操作時間（第２の所定時間、例えば、３秒間）よりも短い時間押下すると）、ステップＳ５（Ｓ１６）の判定結果がＹＥＳとなり、ＬＥＤ１４が消灯される。操作者は、電子機器１から読み出して表示させたいデータのデータ種別に対応する回数だけ繰り返し前記運転／停止スイッチ１２を押し下げる（第２の操作）。なお、第２の操作がなされなかったときは、前記ステップＳ１（Ｓ１２）に戻る。
【００１６】
一定時間（例えば、１秒間）前記運転／停止スイッチ１２が操作されないことで、該第２の操作が終了したことを検出し、その操作回数が予め予定されている操作回数（選択されるデータ種別の数に対応する操作回数）の範囲内であるか否かが判定される（ステップＳ６（Ｓ１７））。予定された範囲内の操作回数でないときは前記ステップＳ１（Ｓ１２）に戻るが、予定された回数の範囲内の操作回数であるときは、前記運転／停止スイッチ１２が操作された回数だけ前記ＬＥＤ１４を点滅（例えば、0.5秒オン、0.5秒オフ）することで、どのデータ種別が選択されたかを確認することができるようにする（ステップＳ７（Ｓ１８）、第２の表示形態）。
例えば、データ種別１を湿度センサ２４のデータ、データ種別２を温度センサ２３のデータ、データ種別３を浴室照明２２の運転時間とすると前記第２の操作により、前記運転／停止スイッチ１２を１回オンすると、ＬＥＤ１４を１回所定時間間隔点灯（例えば、0.5秒オン）し、データ種別１が選択されたことが確認でき、また、２回オンすると、ＬＥＤ１４を２回所定時間間隔点滅（例えば、0.5秒オン、0.5秒オフを２回）して、データ種別２が選択されたことが確認できる。
図３の（ａ）に示した例では、前記第２の操作において、前記運転／停止スイッチ１２が一回だけ押下され、データ種別１（湿度センサ２４のデータ）が選択されたことを示すＬＥＤ１４が１回点灯（0.5秒オン）した場合を示している。
【００１７】
ステップＳ７（Ｓ１８）で上述のように選択されたデータ種別を表示した後に、該選択されたデータが読み出されて前記ＬＥＤ１４で表示される（ステップＳ８（Ｓ１９）、第３の表示形態）。この第３の表示形態では、選択されたデータを上位桁から順次各桁ごとに時分割で繰り返し表示する。
図３の（ａ）では、データ表示開始を示す点滅を所定時間（例えば、0.1秒オン、0.1秒オフを２秒間）実行し、続いて、湿度センサ２４により計測された湿度データを上位桁から順次各桁ごとに表示する様子を示している。この例では、データ種別１（湿度）のカレントな計測データ「７９．２」を上位桁から順に桁ごとに表示している。そして、該データの全桁を表示した後、再び、前記データ表示開始を示す点滅表示及びデータ種別１のデータの各桁の表示を繰り返している。
【００１８】
そして、この図に示した例では、数字「１」〜「４」は短い点滅（例えば、0.5秒オフ、0.5秒オン）の回数（最大４秒）、「５」は長い点滅（例えば、0.5秒オフ、２秒オン。合計2.5秒）、「６」〜「９」は前記「１」〜「４」と「５」の組み合わせで表現することとしており、１桁の表示に要する時間は6.5秒となっている。例えば、「７」の場合は、短い点滅２回と長い点滅１回が時系列に表示され、１桁表示の残り時間である２秒間はＬＥＤ１４をオフとする。また、小数点は、前記数字と数字の間に前記数字の点滅とは異なる形態の点滅（例えば、0.1秒オフ、0.1秒オンを１秒継続）とすることで確認することができるようになされている。したがって、図３に示した例においては、一桁の表示に6.5秒、小数点の表示に１秒かかるとすると、３桁に小数点を含んだ１データの表示には20.5秒かかることとなる（データ表示開始の点滅時間を含めると22.5秒）。
【００１９】
このようにデータ表示を行っているときに、前記運転／停止スイッチ１２の前述した第１の操作（前記第２の所定時間以上の長押し）があったことが検出されると（ステップＳ９（Ｓ２０）がＹＥＳ）、データ表示モードを終了して運転状態表示（ステップＳ１）（又は停止状態表示Ｓ１２）に移行する。
また、前記第２の操作（前記第２の所定時間よりも短い押下）があったときは（ステップＳ１０（Ｓ２１）がＹＥＳ）、前記ステップＳ６（Ｓ１７）に戻って、該操作による押し下げ回数を検査し、前述と同様にして、新たに選択されたデータ種別のデータを表示する。
【００２０】
図３の（ｂ）には、前記運転／停止スイッチ１２が２回操作されて、データ種別２（温度データ）が選択された場合が示されている。この場合には、前記データ種別１のデータの表示（ステップＳ８）が中断され、前述と同様にして、前記温度センサ２３により計測された温度データ（この例では、「２８．６」）が繰り返し表示される。
また、このようにしてデータ表示（第３の表示形態）を行っている状態で、前記運転／停止スイッチ１２が所定時間（例えば、１０分間）押下されなかったときは、前記ステップＳ１（Ｓ１２）に戻り、データ表示モードから自動運転状態表示（又は停止状態表示）に戻る。
【００２１】
なお、上記においては、ＬＥＤ１４を用いていたが、ランプや放電管等を用いることもできる。また、温度センサや湿度センサの計測値だけではなく、データ種別３として前記浴室照明２２の点灯時間のデータなど他の種類のデータも選択して表示することができる。
このように、本発明の電子機器によれば、自動運転状態又は停止状態のいずれの状態にあっても、単一のＬＥＤからなる表示部を用いてセンサの計測値や運転時間等の内部データを表示することができる。また、表示するデータの選択も、既存の運転／停止スイッチ１２により行うことができ、メンテナンス性がよく、安価かつ小型の電子機器を実現することができる。
【００２２】
さて、数字や小数点を単一の表示部で表示する方法は、上述した方法に限られない。
図４は、数字「０」〜「９」を所定の時間間隔に５回の短時間点灯（例えば、0.1秒点灯）、長時間点灯（例えば、0.4秒点灯）又はそれらの組み合わせにより表示するようにした実施の形態を示す図である。
この表示方法では、図４の（ａ）に示すように、１桁の数字の表示時間を先頭からＡ〜Ｅの５つの位置に分割し、Ａ〜Ｄの各位置においては短時間点灯は「０」、長時間点灯は「２」を表し、位置Ｅにおいては短時間点灯は「０」、長時間点灯は「１」を表すというように表示位置に対応して重み付けを与えるようにしている。
したがって、数字「０」は、前記Ａ〜Ｅにおいて等間隔（例えば、0.8秒間隔に0.1秒点灯）の短時間点灯であれば、短時間点灯の重みが全て「０」であるから、その総和は数字「０」であると判定することができる。また、数字「１」は、前記「０」の場合と同様に、Ａ〜Ｅ全て等間隔（0.8秒間隔）であるが、位置Ｅのみが重み「１」の長時間点灯（例えば、0.4秒点灯）となる。さらに、数字「２」は、位置Ａのみが長時間点灯（例えば、0.4秒点灯）でその他が短時間点灯（例えば、0.1秒点灯）となるが、長時間点灯から短時間点灯までの間隔はその消灯時間間隔が短時間の点灯間隔の消灯時間間隔（例えば、0.7秒）とほぼ同じになるように前記短時間点灯間隔（例えば、0.8秒）の1.5倍（例えば、1.2秒）としている。数字「３」〜「８」についても同様にしている。次に、数字「９」であるが、前記Ａ〜Ｅの全てで長時間点灯となり、Ａ〜Ｄは等間隔（例えば、0.8秒間隔で0.4秒点灯、0.4秒消灯）、ＤとＥの間隔は前記間隔の1.5倍（1.2秒）の間隔とすることで、数字「０」と識別することができるようにしている。
【００２３】
図４の（ｂ）は小数点と符号「−」の表示パターンを示す図である。この図に示すように、小数点の表示は、短時間点灯（例えば、0.1秒点灯）、短時間消灯（例えば、0.1秒）のデューティ５０％の点滅表示を一定時間（例えば、数字「０」の表示時間）点滅させるようにしており、符号「−」は前記小数点と同一表示時間で前半部は消灯、後半部を点灯とするパターンとしている。
【００２４】
図５に、数字「０」〜「９」のさらに他の表示方法を示す。
図５の（ａ）は、数字「０」〜「９」を所定の時間間隔に４回の短時間点灯（例えば、0.1秒点灯）、長時間点灯（例えば、0.4秒点灯）またはそれらの組み合わせにより表示するようにした実施の形態を示す図である。ここで、Ｇ〜Ｊの各位置において短時間点灯は「０」を表し、長時間点灯は、Ｇの位置では「８」、Ｈの位置では「４」、Ｉの位置では「２」、Ｊの位置では「１」を表すように、表示位置に対応して重み付けをしている。
前述した図４の（ａ）の場合においては、数字「０」と「９」は同じ短時間点灯の連続あるいは長時間点灯の連続となり、長時間点灯の連続である「９」については、一部表示時間間隔をかえることで違いを区別するようにしていたが、図５の（ａ）の場合には、同じ時間長さの連続点灯は数字「０」のみとなるため、上述のような誤認しやすい表示をなくすようにしたものである。
【００２５】
図５の（ｂ）は、さらに他の表示方法を示す図である。
この図に示す実施の形態は、前記図５の（ａ）に示した表示方法において、長時間点灯の表示位置の重み付けを変更したものである。すなわち、Ｋの位置における長時間点灯の重みを「１」、Ｌの位置を「２」、Ｍの位置を「４」、Ｎの位置を「８」としたものである。この場合にも、図５の（ａ）の場合と同様に、誤認しやすい表示をなくすことができる。
なお、図５の（ａ）、（ｂ）いずれの場合にも、長時間点灯から短時間点灯までの間隔及び短時間点灯から長時間点灯までの間隔がなるべく等しくなるように、Ｇ〜Ｊ又はＫ〜Ｎの各位置内における点灯開始位置を調整するようにしている。
また、小数点及び符号については、前記図４の（ｂ）に示した方法と同様の方法で表示するようにしている。
【００２６】
図６に、前記図４の（ａ）及び図５の（ａ）に示した表示方法を用いてデータを表示した例を示す。
図６の（ａ）は、前記図４の（ａ）の数字表示方法で各数字及び小数点の間に無点灯表示時間をはさんで表示した例を示す図である。
計測又は設定値の各桁の数字、小数点の点灯表示の間に無点灯表示時間を設けたことで各桁の小数点を含む数字、例えば、図示する「２３．５」という数値が容易に識別することができることが分かる。
【００２７】
図６の（ｂ）は、負の符号がある場合の表示例を示す図である。本例では、「−１６．７」の実数表示の表示例を示している。
なお、負の符号は、例えば、数字「０」の短時間点灯の間隔すべてを連続点灯にする形態で識別するようにしてもよい。
【００２８】
図６の（ｃ）及び（ｄ）は、前記図５の（ａ）に示した数字表示方法を用いた多桁数のデータの表示例を示す図であり、（ｃ）は、例えば、ファンや電灯の運転や点灯の積算時間を表示した例、（ｄ）は、負符号のついた、例えば、温度の計測値を表示した例を示している。
【００２９】
図６の（ａ）及び（ｂ）に示した表示形態と、（ｃ）及び（ｄ）に示した表示形態とを比較すると、図６（ａ）及び（ｂ）に示した表示形態は、数字「０」又は数字「９」を連続して表示した場合は、表示形態に違いがあるものの、同じ表示パターンが連続する表示形態となるが、表示パターンから各数字への識別が分かりやすいという特徴がある。
一方、（ｃ）及び（ｄ）の場合は、数字「０」〜「９」の各数字の表示形態が全て異なっており、データ表示の時間が短くなるという特徴がある。
【図面の簡単な説明】
【００３０】
【図１】本発明の電子機器の一実施の形態の構成を示すブロック図である。
【図２】運転／停止スイッチ１２が操作されたときに実行される処理の流れを示すフローチャートである。
【図３】（ａ）はデータ種別１のデータ、（ｂ）はデータ種別２のデータが表示される様子を示すタイミング図である。
【図４】数字の表示方法の他の例を示す図であり、（ａ）は「０」〜「９」の各数字、（ｂ）は小数点と符号の表示形態を示す図である。
【図５】数字の表示方法にさらに他の２例を示す図である。
【図６】図４と図５に示した表示方法によるデータ表示の具体例を示す図である。
【符号の説明】
【００３１】
１：電子機器、１１：制御部（マイコン）、１２：運転／停止スイッチ、１３：点灯／消灯スイッチ、１４：表示器（ＬＥＤ）、１５：直流電源部、１６，１７：リレー、２０：交流電源、２１：ファンモータ、２２：浴室照明、２３：温度センサ、２４：湿度センサ、３１〜３６：端子
【図１】
2005284552.tif 000003
【図２】
2005284552.tif 000004
【図３】
2005284552.tif 000005
【図４】
2005284552.tif 000006
【図５】
2005284552.tif 000007
【図６】
2005284552.tif 000008